(57)【特許請求の範囲】
【請求項１】
走行機体の後部に昇降機構を介して取り付けた苗植付装置を、前記昇降機構から取り外した状態で支持する苗植付装置用のスタンドであって、
前記苗植付装置における左右の植付伝動ケースの前部に亘って連結された植付フレームに近い右前部に差し込み係合されて斜め前方下方に向う姿勢で前記植付フレームを介して前記苗植付装置を支持する右の前支持フレーム部分と、前記右の植付伝動ケースの後端に連結されて該植付伝動ケースの後端への連結箇所から後向きに片持ち状に延出された後ブラケット部に差し込み係合される右の後支持フレーム部分と、前記右の前及び後支持フレーム部分の下端部どうしに亘って連結される右の前後向き支持フレーム部分とを備えて構成された右のスタンドを備え、
前記苗植付装置における前記植付フレームに近い左前部に差し込み係合されて斜め前方下方に向う姿勢で前記植付フレームを介して前記苗植付装置を支持する左の前支持フレーム部分と、前記左の植付伝動ケースの後端に連結されて該植付伝動ケースの後端への連結箇所から後向きに片持ち状に延出された後ブラケット部に差し込み係合される左の後支持フレーム部分と、前記左の前及び後支持フレーム部分の下端部どうしに亘って連結される左の前後向き支持フレーム部分とを備えて構成された左のスタンドを備えてある苗植付装置用のスタンド。
【請求項２】
前記後支持フレーム部分が前記後ブラケット部の後部に差し込み係合された状態を維持する離脱防止手段を、前記後支持フレーム部分に備えてある請求項１記載の苗植付装置用のスタンド。
【請求項３】
前記前支持フレーム部分の下端の接地部が側面視で前記苗植付装置の重心よりも前側に位置するように構成してある請求項１又は２記載の苗植付装置用のスタンド。
【発明の詳細な説明】
【技術分野】
【０００１】
本発明は、走行機体の後部に昇降機構を介して取り付けた苗植付装置を、前記昇降機構から取り外した状態で支持する苗植付装置用のスタンドに関する。
【背景技術】
【０００２】
苗植付装置用のスタンドとしては、苗植付装置の前後部に、接地支持用の前後支持フレーム部分を配置して、夫々、独立して接地姿勢と格納姿勢とに切換可能に構成したものがある。（特許文献１参照）。
【０００３】
【特許文献１】特開２００２−３４５３１２号公報（段落番号〔００１９〕、図２〜図４）
【発明の開示】
【発明が解決しようとする課題】
【０００４】
上記のような前後支持フレーム部分は、個々に独立して自立することになるので、スタンドとしての剛性が低く、苗植付装置の支持が安定しない問題があった。また、安定したスタンドとするには、前後支持フレーム部分を強度の高いものにする必要があり、そうすると、部材が大きくなり前後支持フレーム部分自体も大型化するものとなり、取扱性を阻害するものとなっていた。
【０００５】
本発明の目的は、安定して支持できるものでありながら、コンパクトで取扱性に優れた苗植付装置用のスタンドを提供する点にある。
【課題を解決するための手段】
【０００６】
〔構成〕
請求項１に係る発明の特徴構成は、走行機体の後部に昇降機構を介して取り付けた苗植付装置を、昇降機構から取り外した状態で支持する苗植付装置用のスタンドにおいて、次のように構成することにある。
前記苗植付装置における左右の植付伝動ケースの前部に亘って連結された植付フレームに近い右前部に差し込み係合されて斜め前方下方に向う姿勢で前記植付フレームを介して前記苗植付装置を支持する右の前支持フレーム部分と、前記右の植付伝動ケースの後端に連結されて該植付伝動ケースの後端への連結箇所から後向きに片持ち状に延出された後ブラケット部に差し込み係合される右の後支持フレーム部分と、前記右の前及び後支持フレーム部分の下端部どうしに亘って連結される右の前後向き支持フレーム部分とを備えて構成された右のスタンドを備え、
前記苗植付装置における前記植付フレームに近い左前部に差し込み係合されて斜め前方下方に向う姿勢で前記植付フレームを介して前記苗植付装置を支持する左の前支持フレーム部分と、前記左の植付伝動ケースの後端に連結されて該植付伝動ケースの後端への連結箇所から後向きに片持ち状に延出された後ブラケット部に差し込み係合される左の後支持フレーム部分と、前記左の前及び後支持フレーム部分の下端部どうしに亘って連結される左の前後向き支持フレーム部分とを備えて構成された左のスタンドを備えてある。
【０００７】
〔作用〕
つまり、右の前及び後支持フレーム部分を右の前後向き支持フレーム部分で連結一体化するので（左の前及び後支持フレーム部分を左の前後向き支持フレーム部分で連結一体化するので）、スタンドとしての剛性を高めることができ、右の前及び後支持フレーム部分（左の前及び後支持フレーム部分）において必要以上に強度を向上させる必要はない。
【０００８】
〔発明の効果〕
したがって、右の前及び後支持フレーム部分、右の前後向き支持フレーム部分（左の前及び後支持フレーム部分、左の前後向き支持フレーム部分）を、大きな部材を使用することなく、剛性を高めたものにでき、コンパクトで取扱性に優れたスタンドを提供できるに至った。
【０００９】
【００１０】
【００１１】
【００１２】
【００１３】
【００１４】
〔構成〕
本発明のうちの請求項２記載の発明では、前記後支持フレーム部分が前記後ブラケット部の後部に差し込み係合された状態を維持する離脱防止手段を、前記後支持フレーム部分に備えてある。
【００１５】
〔作用効果〕
つまり、離脱防止手段によって後ブラケット部の後部と後支持フレーム部分との取付状態を維持するとともに、離脱防止手段を作用解除させることにより、後ブラケット部の後部と後支持フレーム部分との取付状態を解除できる。そして、離脱防止手段を後支持フレーム部分にだけ設けてあるので、苗植付装置と前及び後支持フレーム部分とを連結解除するのに、前支持フレーム部分について離脱防止手段を機能させる操作をする必要がなく、連結解除操作を迅速に行うことができる。
【００１６】
【００１７】
【００１８】
〔構成〕
本発明のうちの請求項３記載の発明では、前記前支持フレーム部分の下端の接地部が側面視で前記苗植付装置の重心よりも前側に位置するように構成してある。
【００１９】
〔作用効果〕
つまり、メインテナンス等の作業時に接地部を持ち上げる場合には、苗植付装置の重心位置に近接した接地部を接地させた状態でその重心位置から離れた側の接地部を持ち上げることによって、簡単にスタンドの一方側を持ち上げて、僅かに、スタンド位置を移動させたり、変更する場合に便利である。
【発明を実施するための最良の形態】
【００２０】
以下、本発明を明確にする為の参考形態を図１〜図９に基づいて説明しており、図１０に基づいて本発明の実施形態をしている。その後に、本発明のその他の実施形態及び本発明の別実施形態を説明している。
（参考形態）
図１、図２に示すように、操向操作自在な左右一対の前輪１及び左右一対の後輪２を備えた走行機体の前部に、エンジン３及びミッションケース４を備えて、機体の中央部に運転部５を形成し、機体の後部に昇降機構としてのリンク機構６を介して苗植付装置７を昇降操作自在に連結して乗用型田植機を構成してある。苗植付装置７は６条植えに構成されており、３個の植付伝動ケース８、植付伝動ケース８の左右両側に回転駆動自在に支持される回転ケース９、回転ケース９の両端に配備される一対の植付爪１０、３個の整地フロート１１、及び苗載台１６等によって構成してある。
【００２１】
図１、図４〜図６示すように、ＰＴＯ入力軸１３に入力された動力を３個の植付伝動ケース８に伝達するフィードケース１４は、苗載台１６を往復横送りするための横送り駆動軸１７と、横送りのストロークエンドにて苗載台１６の苗を縦送りするための縦送り軸１８とを備えている。尚、１２は後輪２を支承する後車軸ケースである。
【００２２】
図４、図６に示すように、フィードケース１４及び３個の植付伝動ケース８は、これらに亘ってボルト連結された横長角筒状の植付フレーム１９で相互に連結されており、この植付フレーム１９の両端に取付けた板ブラケット２０，２０に亘って架設したパイプ材で成る支点パイプ２１に、３個の整地フロート１１を支持するアーム部材２２を溶接によって連結一体化してある。
【００２３】
次に、苗植付装置７をリンク機構６より取外した状態で支持するスタンドＡの構成について説明する。図４〜図６に示すように、スタンドＡは、前後の縦向き姿勢の支持フレーム部分２３Ａ、２３Ｂとそれらの前後支持フレーム部分を連結する前後向き支持フレーム部分２３Ｃとで構成されている。各支持フレーム部分２３Ａ、２３Ｂ、２３Ｃは単一の部材を折り曲げて一体形成されている。
【００２４】
図４〜図８に示すように、植付フレーム１９の前面に前ブラケット部２４Ａを取り付け、前ブラケット部２４Ａの横側面に前支持フレーム部分２３Ａの上端を差し込み係合する係合孔を形成してある。前支持フレーム部分２３Ａは、縦向き姿勢の縦向き部分２３ａとその上方において折り曲げ形成されている横向き部分２３ｂとに曲げ形成されており、横向き部分２３ｂの先端部が前ブラケット部２４Ａの係合孔に対して横方向から抜差し自在に係合されている。
【００２５】
図４〜図８に示すように、植付伝動ケース８の後端に後ブラケット部２４Ｂを設ける。後支持フレーム部分２３Ｂは、縦向き部分だけで構成されており、その縦向き部分の上端を後ブラケット部２４Ｂに対して下から差し込み係合させる構成となっている。後ブラケット部２４Ｂでは、縦向き部分を差し込み止め付けピン（離脱防止手段の一例）２５で止め付け固定するようになっている。このように、前後ブラケット部２４Ａ、２４Ｂでの支持フレーム部分２３Ａ、２３Ｂの差込方向が異なるので、ブラケット部との連結固定構造を簡易なものにできる。一方、前ブラケット部２４Ａでは差し込み係合させるだけで、止め付けピン２５で止めつける構成は採っていない。
【００２６】
前支持フレーム部分２３Ａと前後向き支持フレーム部分２３Ｃとの連結位置に車輪２６を取り付けるとともに、後支持フレーム部分２３Ｂと前後向きフレーム部分２３Ｃとの連結部位を接地させて接地部ｃを構成している。
上記した前後支持フレーム部分２３Ａ、２３Ｂの車輪２６と前記接地部ｃとの接地位置は、車輪２６が苗植付装置７の重心Ｘに近い方に配置してある。
このように、後支持フレーム部分２３Ｂの下端を接地させる構成となっているので、スタンドＡの移動を阻止する為に車輪２６をロックする必要はなく、スタンドＡを移動させる場合には接地部ｃを持ち上げて移動させることができる。持ち上げる際に、苗植付装置７の重心Ｘの位置に近接して車輪２６が配置してあるので、持ち上げやすい。
上記したスタンドＡは、整地フロート１１のうちの左右サイドフロートの横側方に配置され、左右のスタンドＡで支持するように構成されている。
【００２７】
以下、本発明の実施形態について説明する。この場合、本発明の実施形態において前述の参考形態と異なる部分について説明しており、その他の部分は前述の参考形態と同様である。
（本発明の実施形態）
図１０に示すように、各支持フレーム部分２３Ａ、２３Ｂ、２３Ｃは単一の部材を折り曲げて一体形成されている。この場合には、車輪２６は使用されてはいず、前後向き支持フレーム部分２３Ｃを接地させて、自立させる構成を採っている。
【００２８】
前支持フレーム部分２３Ａの苗植付装置７に対する取付位置は、整地フロート１１を支持するアーム部材２２を支持する支点パイプ２１に定めている。つまり、支点パイプ２１の横向きに開口する開口内に前支持フレーム部分２３Ａの横向き部分を差し込み係合させることができる。後支持フレーム部分２３Ｂは参考形態で示した場合と同様に、植付伝動ケース８から後方に延出された後ブラケット部２４Ｂに下方から差し込み係合させる構成を採っている。
【００２９】
一方、図９に示すように、後支持フレーム部分２３Ｂの上端には、トグルリング（離脱防止手段の一例）２７が取り付けられている。このトグルリング２７は、左右両端部を後支持フレーム部分２３Ｂの両側面に差し込み係合させて、取り付けられている。
トグルリング２７の左右両端部の後支持フレーム部分２３Ｂへの係合部分は、図示していないが、その後支持フレーム部分２３Ｂの側面に対して直交する状態にある。その直交する部分の軸芯ａ，ｂは、同一軸芯上にはなく、上下に位置ズレする状態で設けてある。
【００３０】
このように、軸芯ａ、ｂが位置ズレを持って取付られているので、図９（ロ）に示すように、トグルリング２７が横向きに張り出した非作用姿勢においては、トグルリング２７はその姿勢より回動しにくい構成となっている。そして、図９（イ）及び図１０に示すように、上向きに立ち上がる作用姿勢に切り換えるには、人為力を加えて強制的に立ち上がらせることによって、作用姿勢とすることができる。一旦作用姿勢に切り換わると、軸芯ａ、ｂの位置ズレによって、立ち上がり作用姿勢が維持されて、容易には非作用姿勢に切り換わらない構成となっている。
【００３１】
以上のように構成されたトグルリング２７を、後支持フレーム部分２３Ｂの上端を後ブラケット部２４Ｂに差し込んだ状態で、非作用姿勢にあるトグルリング２７を持ち上げて作用姿勢に切換え、その作用姿勢にあるトグルリング２７を後ブラケット部２４Ｂの上面に係止することによって、後支持フレーム部分２３Ｂのぬけ止め構造を構成できる。
【００３２】
（本発明のその他の実施形態）
苗植付装置７をリンク機構６に対して取付る場合の構成について説明する。図４に示すように、リンク機構６の後リンク６Ａの上端に下向きに凹入する係合溝６ａを設けてある。一方、苗植付装置７を支持する連結フレーム２８を設けてあり，連結フレーム２８の両横側面に係合ピン２８ａが突設され、この係合ピン２８ａが後リンク６Ａの係合溝６ａに上から係合して、苗植付装置７がリンク機構６に支持されることになる。
【００３３】
連結フレーム２８は、下端にボス２８Ａを有してあり、このボス２８Ａをフィードケース１４から延出されたローリング軸２９に外嵌し、このローリング軸２９の軸芯周りで苗植付装置７をローリング自在に構成してある。図３に示すように、苗植付装置７を連結フレーム２８に対して強制的にローリング作動させて、ローリング姿勢で植付作業を行えるローリング機構を備えており、苗植付装置７を強制的に駆動するローリングモータ３２を設けている。
【００３４】
ローリングモータ３２の取付位置は、苗載台１６の背面側で連結フレーム２８の後方側に設置してある。また、運転部５の後方に配置してある施肥用粉粒体の貯留ホッパ３１も出来るだけ低い位置に設けてある。また、苗載台１６の上端位置についても工夫が凝らされている。
このような構成によって、苗植付装置７をリンク機構６に取り付ける際に、後リンク６Ａの係合溝６ａと連結フレーム２８の係合ピン２８ａの位置を運転部５に座って後向きになった運転者が見通すことができるように、ローリングモータ３２や貯留ホッパ３１、苗載台１６の上端位置を支障ない位置に配置してある。
【００３５】
次に、整地フロート１１の構成について説明する。整地フロート１１の材料を透明材か半透明材で製造する。そうすると、洗車する際に、上から整地フロート１１の下面に付着した泥を視認することができ、作業が容易になる。
【００３６】
〔本発明の別実施形態〕
（１）  前後支持フレーム部分２３Ａ，２３Ｂを連結する前後向き支持フレーム部分２３Ｃは、前後支持フレーム部分２３Ａ，２３Ｂと一体で形成する必要はなく、前後支持フレーム部分２３Ａ，２３Ｂに対して前後向き支持フレーム部分２３Ｃをボルト等の連結具を介して連結して構成してもよい。
（２）  離脱防止手段としては、ボルトであってもよく、上記した係合ピンやトグルリングに限定されない。
【図面の簡単な説明】
【００３７】
【図１】参考形態の乗用型田植機の側面図
【図２】参考形態の乗用型田植機の平面図
【図３】参考形態の苗植付装置の正面図
【図４】参考形態のスタンドで支持した苗植付装置と運転者の目線との関係を示す側面図
【図５】参考形態の苗植付装置をスタンドで支持した状態を示す側面図
【図６】参考形態の苗植付装置を支持するスタンドの状態を示す平面図
【図７】参考形態の苗植付装置をスタンドで支持した状態を示す正面図
【図８】参考形態の苗植付装置を支持するスタンドを示す斜視図
【図９】参考形態の離脱防止手段の一例であるトグルリングを示し、（イ）  斜視図（ロ）  背面図
【図１０】本発明の実施形態の苗植付装置を支持するスタンドを示す側面図
【符号の説明】
【００３８】
７              苗植付装置
８              植付伝動ケース
１９            植付フレーム
２３Ａ          前支持フレーム部分
２３Ｂ          後支持フレーム部分
２３Ｃ          前後向きフレーム部分
２４Ｂ          後ブラケット部
２５，２７      離脱防止手段
ｃ              接地部
Ｘ              苗植付装置の重心
【図１】
0004589027.tif 000002
【図２】
0004589027.tif 000003
【図３】
0004589027.tif 000004
【図４】
0004589027.tif 000005
【図５】
0004589027.tif 000006
【図６】
0004589027.tif 000007
【図７】
0004589027.tif 000008
【図８】
0004589027.tif 000009
【図９】
0004589027.tif 000010
【図１０】
0004589027.tif 000011